(57)【要約】【目的】可変表示装置に飛入球の貯留室を備え、可変表示装置に表示する画像に連動させて貯留球の放出を可能にして遊技性を向上させる。【構成】可変表示装置（５）の左右の側枠部（１８）に貯留空間（１９）を形成し、該貯留空間の下部の出口（２０）に放出制御装置（２１ａ，２１ｂ，２１ｃ，２１ｄ）を設けそのストッパー片（２３ａ，２３ｂ，２３ｃ，２３ｄ）の出没操作によってこの出口を開閉自由にして貯留室（２２）を形成し、前記可変表示装置の画面に表示される遊技の内容に連動させて前記放出制御装置を操作し、貯留する球を放出する。【選択図】        図４
2006149810.tif 000002
【特許請求の範囲】
【請求項１】
中央部に図柄を表示する画面を有する可変表示装置において、前記図柄を表示する画面を囲む枠体の左右の側枠部、若しくはいずれか一方の側枠部に縦に貫く中空の貯留空間を形成し、該貯留空間の上部に入口を、下部に出口を形成して内部に所要個数の飛入球を貯留可能にする貯留室を形成すると共に、該貯留室の前記出口に閉塞時にストッパー片の突き出しにより飛入球を貯留し、開放時に前記ストッパー片を後退させて貯留球を前記出口より放出する放出制御装置を設備してなることを特徴としたパチンコ機の可変表示装置。
【請求項２】
請求項１の記載において、貯留室の入口には側枠部に開設する飛入口からの飛入球を誘導する誘導路を接続して前記飛入口を通して前記貯留室に飛入球の受け入れを可能にしてなることを特徴としたパチンコ機の可変表示装置。
【請求項３】
請求項１の記載において、貯留室には出口にストッパー片を有する放出制御装置を設備する一方、該貯留室には上下の間にパチンコ球の直径、若しくはこの直径より大の間隔をおいて１若しくは複数個の放出制御装置を段設し、各放出制御装置のストッパー片を室内部に向けて出没自由に臨ませると共に、全ての放出制御装置を同時に、若しくは個別に開閉操作可能にして貯留球の放出個数を選択調整可能にしてなることを特徴としたパチンコ機の可変表示装置。
【請求項４】
請求項２の記載において、図柄表示画面の上縁部に沿って設けられる上枠部の内部に上部の誘導路を形成し、また該上枠部の上面部に第２の飛入口を開設して飛入球を受け入れ可能にすると共に、前記上部の誘導路と側枠部の貯留室とを連通し、前記第２の飛入口に飛入する飛入球を前記貯留室に受け入れ可能にしてなることを特徴としたパチンコ機の可変表示装置。
【請求項５】
請求項１乃至４のいずれかの請求項の記載において、図柄を表示する画面の下縁部に沿って前方に突き出す誘導棚を形成し、貯留室から放出される貯留球を該誘導棚に放出すると共に該誘導棚の前縁部から遊技盤面に向けて落下誘導するようにしてなることを特徴としたパチンコ機の可変表示装置。
【請求項６】
請求項５の記載において、誘導棚には貯留室から放出される貯留球を誘導するための複数の案内路を形成し、該案内路の少なくとも一つの案内路を優先案内路として前記放出貯留球を遊技盤に備える入賞口に向けて誘導するようにしてなることを特徴としたパチンコ機の可変表示装置。
【請求項７】
請求項６の記載において、入賞口は始動入賞口であることを特徴としたパチンコ機の可変表示装置。
【請求項８】
請求項１乃至７のいずれかの請求項の記載において、貯留室には前面部に縦方向に沿って室内部を透視する窓を開設してなることを特徴としたパチンコ機の可変表示装置。
【発明の詳細な説明】
【技術分野】
【０００１】
本発明は、遊技盤に設置される可変表示装置に関する。
【背景技術】
【０００２】
パチンコ機の遊技盤に設置される可変表示装置は、中央の図柄表示画面に複数組（通常は３個）の文字や図形を配列してなる図柄を表示し、予め定める入賞口（始動入賞口）に打球が飛入したとき、この図柄を例えば上下方向に回転移動する如く始動させ、次に予め設定しておく組合せに対し、抽選の結果に基づきこの図柄の変動を止めて、停止時に図柄同士が設定した状態で揃ったとき、これを「当り」とし、例えば大入賞口（所謂「アタッカー」と称される入賞口）の扉を開放して次からの打球の入賞を容易にする等、入賞球の飛入を原因にしてその後に起る遊技の進行状態を上記画面を通して表現し、遊技を演出して遊技者を楽しませるものにしてある。
【０００３】
本発明は、この可変表示装置を改良し、画像の表示に合せて該可変表示装置を打球の一時的な貯留手段としても利用し、ここに貯留する球（飛入球）を例えば図柄表示画面の始動を促す前記始動入賞口に積極的に誘導する等して両者の関連性を図り、遊技性を向上させるようにしたことにある。
【０００４】
周知のように、可変表示装置は一般に３組の図柄を表示し、始動入賞口に打球が飛入したことを条件にこの図柄を回転させる等変動させ、次にそれぞれの図柄の停止に伴って３組の図柄が予め定めた組合せに揃ったとき、これを「当り」としており、これに連動させて特定の入賞装置、例えば前述の大入賞口等を開放し、短時間のうちに多量の賞球の放出が得られるようにして、遊技の進行とその結果を画像を通して表現し、演出して遊技に興趣を添えるものとして広く利用されている。このため、現在のパチンコ機においてはこの装置は不可欠の構成部品ともなっている。
【０００５】
この様に可変表示装置は、演出効果を挙げる上から通常の場合、遊技盤の中央部に設置されるものとなっている。そして、更に効果を高める上からますます画面の大型化が図られており、これに伴って遊技盤の中央部分の広い領域がこの可変表示装置によって占められる状況にある。このため、打球の通過領域が狭まり打球の落下時の変化が乏しく単純化して他の入賞装置への誘導が円滑に行われなくなる問題が生じている。
【０００６】
従来、この可変表示装置の大型化に伴う問題の解決策として、或は可変表示装置に表示されている遊技の進行状況から打球の発射を連続させるのが得策でないとする遊技者の心理を解く方策として、可変表示装置に打球の飛入口を形成し、これに受け入れられた球を可変表示装置の内部に形成する通路を通して誘導し、これを次なる当り条件を発生させる始動入賞口に積極的に導く等して打球の落下に変化を付け、また上記通路を通過することによる時間の経過を利用して入賞球相互の連続性を断って、遊技者の不利益感を解消することが行われている。例えば、この様な例として特許文献１乃至３が挙げられる。
【特許文献１】特開２００２−３１５８８４号公報。
【特許文献２】特開２００３−２９０４６８号公報。
【特許文献３】特開２００４−１３５８２５号公報。
【０００７】
上記の各特許文献は、名称を異にしてはいるが、図柄を変化させる可変表示装置に関するものであり、装置内に打球を受け入れる飛入口と、この飛入口を通して受け入れた球を通過させ、所定の方向へと誘導する通路を有していることで共通しており、また打球の流下通路を装置の内部に設定することに併せ、この通路を通すことで時間を消費させ、始動入賞口への入賞が連続するのを断つようにしている点でも共通している。
しかし、ここに挙げられる装置は、装置の内部に打球を受け入れ、受け入れた球を特定の方向、例えば上述したように始動入賞口に向けて誘導する等、新たな通路を形成するものではあるが、それ以上の変化を付与するものとはなっておらず、またそのような期待もされていない。
【発明の開示】
【発明が解決しようとする課題】
【０００８】
本発明は、上述した従来の実情に鑑み、遊技盤の中央部に設置される可変表示装置について、本来の図柄の表示機能に併せて打球の入賞に繋がる誘導とその制御機能を付加し、打球の落下経過に変化を付け、遊技盤上の落下領域の減少に伴って単純化するのを解消すること、そしてこれに併せて、入賞口への確率を増幅し、遊技に対する興趣を一層高めるようにしたことにある。
【０００９】
ことに本発明は、可変表示装置内に打球の通路を形成することを通して打球を特定の入賞口に誘導する等、所定の方向に誘導し、遊技者に有利になるようにすること、そして、一時的に飛入球を貯留し、一定の条件の下でこの貯留球を放出することによって次なる入賞口への飛入を制御し、或は飛入条件を有利に変換できるようにしたことにある。
【課題を解決するための手段】
【００１０】
本発明は、上述の目的を達成するため、中央部に図柄を表示する表示画面を有する可変表示装置において、前記図柄を表示する画面を囲む枠体の左右の側枠部、若しくはいずれか一方の側枠部に縦に貫く中空の貯留空間を形成し、該貯留空間の上部に入口を、下部に出口を形成して内部に所要個数の飛入球を貯留可能にする貯留室を形成し、且つ該貯留室の前記出口に閉塞時にストッパー片の突き出しにより飛入球を貯留し、開放時には前記ストッパー片を後退させて貯留球を前記出口より放出する放出制御装置を設備してなることを特徴としたパチンコ機の可変表示装置を提供することにある。
【００１１】
本発明は、可変表示装置における図柄表示画面を囲む枠体の左右の側枠部を利用し、この内部に中空の貯留空間を形成し、且つこれに放出制御装置を組入れることで、球の貯留室を形成したことにある。そして、上記貯留空間の上部に設ける入口を通して飛入する飛入球を当該貯留室に貯め、前記放出制御装置に対する開放指示に合せてこの貯留球を放出するようにしたことにあり、この放出を制御することによって変化性を高めたことにある。
【００１２】
即ち、本発明はこの貯留球の放出を制御することによって球の流下に強弱の変化を付与し、或は放出時機を選択し、放出球数を調整し、更には連続的に、或は間欠的に放出する等して様々な放出態様を作り出すことによって、例えば放出後その下流に控える始動入賞口に対する球の送り込み等の誘導に変化を与えられるようにしたことにある。
【００１３】
前記図柄表示画面を囲む枠体は、可変表示装置の前面の外形を構成するものであり、従来から飾りとして形成されている部分であるが、本発明では、この枠体、特に側枠部について内部に打球を貯留する貯留空間を形成し、この貯留空間に貯留室を形成することに特徴を有している。
これにより可変表示装置自体に実質的に入賞装置に設ける貯留室を形成するもので、この結果、可変表示装置自体を縮小させたり、或は装置の大型化を阻んだりすることなく、迫力ある大型画面をそのまゝ提供することを可能にしたものである。
【００１４】
上記貯留空間は、側枠部に沿って縦長の空間として形成し、この貯留空間の中に貯留室を形成することになる。
貯留室は、貯留空間の下部に球の流出を阻止するストッパー手段、例えばストッパー片を出没自由に備える放出制御装置を組込むことによって形成される。上記ストッパー片によって貯留空間の上部に形成する入口を通して入り込む打球を内部に止め置くことによって貯留し、上記放出制御装置に対する開放の指示によりこれを放出するものとする。
【００１５】
また、上記貯留室は、縦長の空間とすることによって１個乃至複数個の打球を上下に並べる状態に貯留することになる。そして、これにより放出時には下のものから順次整列した状態で排出することになる。
飛入した複数個の打球、即ち貯留球を同時に放出する場合は、この放出時点における各貯留球の高さ位置の違いから放出速度、つまり落下速度に差が付くことになり、それぞれの球は個別に変化して放出後の誘導に差が付くことになる。
【００１６】
一方、上記貯留室は、下部に備える放出制御装置によって貯留空間内に形成されることになるが、この貯留室は縦の長さ方向に沿って間隔を置き複数のストッパー片を出没自由に臨ませることによって内部を複数の区間に仕切ることを含む。
この場合、上記複数のストッパー片を同時に、或は個別に開放することによって貯留個数と放出個数を調整することが可能となり、これにより更に異なる貯留球の放出が実現することになる。
【００１７】
上記複数のストッパー片を備える場合、ストッパー片相互の間隔は間にパチンコ球を噛み込まない間隔を設定する必要があるが、実質的にはパチンコ球の直径に合わせるか、若しくはそれより大きく設定して球噛みを防止することになる。勿論、ストッパー片間に２個以上の球を貯留する空間を設けることを妨げるものではなく、この場合は２個分以上の間隔を設けることになる。
複数個のストッパー片の組込みは、貯留室の大きさに従って選択されることになるが、このとき各ストッパー片の開閉操作は放出球の誘導方法に基づいて任意選択されることになる。
【００１８】
本発明の可変表示装置における貯留室は、枠体に形成する飛入口を通して送り込まれる打球を貯留するものであり、上記飛入口は可変表示装置本体に形成する場合、前記枠体の側枠部に開設する場合と、上枠部の上面部に第２の上部飛入口を開設する場合とがある。
第２の飛入口は可変表示装置の上方から落下する打球を直接受け入れるため開設するもので、通常は上枠部上面部に開設し、上枠部内部を中空にすることによって形成する上部誘導路を通して飛入した球を貯留室に導き入れることになる。
【００１９】
この第２の飛入口を形成する場合において、前記枠体の左右の側枠部にそれぞれ貯留室を形成する場合は、当該第２の飛入口の直下で上部誘導路を左右に分岐させ飛入球を振り分け、それぞれの貯留室に誘導することになる。
【００２０】
以上の如く、貯留室は枠体の左右側枠部乃至上枠部に形成する飛入口を通して打球を受け入れる一方、前記放出制御装置の開放操作によってこの貯留球を放出することになる。この放出はストッパー片を後退させることによって行われる。
そして、本発明では上記放出される貯留球を可変表示装置の図柄表示画面の下縁部に沿って前方に突き出す誘導棚に導き入れ、この誘導棚上を転がし移動させ、この間に棚の前縁部から落下させ、或は棚の上面乃至は棚の内部に形成する案内路を通して再び遊技盤面の遊技領域に放出するのである。
【００２１】
上記誘導棚は、上面の広さを利用して放出貯留球の移動方向を任意選択できるものとしており、前述したように放出時の放出位置の高さの違いから生ずる落下速度の違いを利用して或るものは近くに、また或るものは遠くへ転し、様々な転り移動を演出することになる。
そして、この転り移動に合せて当該誘導棚からの落下位置を異ならせ、これによって次に位置する入賞口への入賞率に差を付ける等して遊技性を高めることになる。
【００２２】
上記誘導棚は、一つの形態として棚の上面を皿状に窪ませ、放出される球が自由に転り移動し任意の位置から落下するようにすることがある。また予め上面に複数の案内路を形成し、この案内路を通すことで、特定の入賞口、例えば始動入賞口に有利に導く等、積極的に誘導する機能を付与する場合がある。
上記案内路を形成するに当っては、誘導棚の上面に形成する外に、誘導棚を予め肉厚にして内部にトンネル形の案内路として形成することがある。またこのトンネル形の案内路と棚の上面に溝形の案内路とを併設してこれらを選択的に案内できるようにして変化を付けることもある。
【００２３】
また上記誘導棚は、前記貯留室から放出される球を一律に誘導するのではなく、転りに変化を付けて遊技者を楽しませると同時に、最終的に落下する際に、特定の入賞口に導くなどして価値に差を付け、遊技者の興趣を向上させるために作用するものとあるが、実際には前記案内路を形成する等して特定のルートを設け、このルートが任意選択されることによって放出貯留球に価値付けが行われることになる。
【００２４】
ところで、枠体の側枠部に形成する貯留室は、貯留する球数を確認する上から長さ方向に沿って縦のスリット状の窓を開設することがある。勿論、側枠部自体を透明乃至半透明のプラスチック材を用いる等して窓の開設を省略することも可能である。この場合、放出制御装置等が露出することになるので、球のみの確認が妨げられ、また外観が損われることにもなるので製造上注意を要することになる。
【発明の効果】
【００２５】
本発明によれば、上述するところから明らかな様に可変表示装置の図柄表示画面を囲む枠体の側枠部に貯留室を形成し、これに打球を貯留してそれぞれの状況に合せて放出する構成とすることから、従来の入賞装置に備えていた貯留機能を可変表示装置に備えることになり、従ってこの可変表示装置と共に遊技盤の中央部に打球の貯留室を備えることができる。
【００２６】
そして同時に、本発明は上記可変表示装置の表示画面を通しての画像表現に併せて貯留球の放出を行うことができるので、打球の処理と画像表現とを連動させてこれを同時に実行することができ、一体化した実動感のある演出を行うことが可能になる。
そして、上記貯留球の放出は、機械的に或は人為的に操作して放出を選択することが可能であることから、例えば所謂リーチ状態が発生したとき、当たりが発生した後に変化が停滞したとき、等に実行することで遊技の進行を図ることができる。
【００２７】
また、可変表示装置は遊技盤の中央部の最も視線の集中する部所に設置されるものであり、その内部に打球を制御する貯留室を設備するものであることから、画面に対する視線を同時にこの貯留室に向けることができ一層迫力ある遊技を楽しむことができる利点がある。
【００２８】
しかも、本発明はこの様に打球を遊技盤中央部の可変表示装置の中で制御操作する構造とすることから、従来の可変表示装置を避けた左右の狭い空間において打球を処理していたことに比べ広い処理空間を確保することができ、打球により大きな変化を与えられる利点がある。
【発明を実施するための最良の形態】
【００２９】
次に、本発明に係る可変表示装置を添付する図面に示す実施例に基づき本発明の最良の実施の形態を説明することにする。
【実施例１】
【００３０】
図１は遊技盤に本発明に係る可変表示装置を装着した状態を示す正面図であり、図２は可変表示装置の概略拡大正面図、図３は遊技盤に装着した状態における概略横断平面図、図４は同じく概略斜視図である。
【００３１】
図面の符号１は遊技盤、２はこの遊技盤の前面に付設して遊技部３を形成し、打球の発射誘導路４を形成するバンドであり、５は本発明に係る可変表示装置、６は可変表示装置５の作動開始状態を作る始動入賞口、７は前面に開閉扉８を備えた大入賞口であり、９ａ，９ｂ，９ｃは遊技盤面にそれぞれ適宜植設した障害釘、１０は風車である。
【００３２】
ここに示される遊技盤１は、所謂分離式パチンコ機に使用される遊技盤である。可変表示装置５はこの遊技盤の前面の遊技部３の略中央部に組付けられている。この可変表示装置の上方には囲むように天釘となる障害釘９ａを所要の間隔で植設し、また左右両側方から下方の中央部に向ってそれぞれ列状に障害釘９ｂ，９ｃを配置し、可変表示装置の中央部直下に設けられる始動入賞口６に向けて打球を誘導する誘導ルート１１，１２を形成している。
【００３３】
可変表示装置５は、表示器本体１３の前面部に液晶画面１４を備え、この画面１４を囲むように枠体１５を前方に突き出すように設けている。この枠体１５の開口部外周面から鍔形の取付基板１６を延設し、この取付基板１６を遊技盤１の前面に添わせて図示しないビス等の固着具による止め付けにより遊技盤に組付けている。
上記取付基板１６の上縁部には前面に上枠部１７を前記画面１４の上方を被うように横幅の全長に渡って突き出し、またこの取付基板１６の左側縁部には左側枠部１８を前面部に揃えて形成し、この左側枠部１８の内部に縦に貫く空間を設けて貯留空間１９を形成している。
【００３４】
上記貯留空間１９は、ここではパチンコ球１個を通す横断面形の角筒形の空間として形成してあり、１個づつの球を順次通過できるようにしている。そして、この貯留空間１９の下端の出口２０に近い位置に第１の放出制御装置２１ａを設置し、空間を通過するパチンコ球を止めて滞留させることによってこの貯留空間１９を貯留室２２に形成している。
【００３５】
上記放出制御装置２１ａは、ここではソレノイドを主体に形成している。このソレノイドの図示しないプランジャにストッパー片２３ａを組付け、このストッパー片２３ａを前記貯留空間１９に出没自由に臨ませ、ストッパー片が内部に向けて突出したとき、球の通過を止めて貯留し、後退したとき空間、即ち室内に貯留した球を放出するようにしてある。
【００３６】
この実施の形態における貯留室２２は、図示するように上記放出制御装置２１ａの上方に更に第２、第３、第４の放出制御装置２１ｂ，２１ｃ，２１ｄを段設し、それぞれのストッパー片２３ｂ，２３ｃ，２３ｄが出没自由に臨んで貯留室２２の内部が複数の部屋に仕切れるようにしてある。
これらのストッパー片は、全てを後退させたとき貯留する全ての球を放出し、また下方のストッパー片から順次後退させたとき各仕切られた部屋の貯留球を順次放出することになる。そして、後退させるストッパー片を選択することにより放出個数を選びながら放出することができるようにしてある。
尚、上記段設する放出制御装置の数は設計上任意選択されるが、上下のストッパー片の間隔はパチンコ球を噛み込まない間隔を取って、最低パチンコ球１個を収める間隔をもって設置することになる。
【００３７】
この複数個の放出制御装置は、貯留球の放出個数を選択可能にすることによって遊技の変化を増大させることになるが、この様に複数個のストッパー片によって仕切られる貯留室は、最下段において突出するストッパー片が実質的に貯留室の底部を構成することになる。
その一方、ストッパー片によって止められた球は、各ストッパー片の位置によって底部の高さが変る結果、放出時の落下位置に高低の差が生じることになり、放出される球は落下の速度に変化を生じ、放出後の球の転がり移動が変化することになる。
【００３８】
一方、上記貯留空間１９の上端は入口となり、外に向けて開設する飛入口２４に誘導路２５を介して連通する。この入口は枠体１５の側方から飛び込む打球を受け入れる一方、更に前記上枠部１７の内部に形成する上部誘導路２６に連通し、上枠部１７の上面中央部に開口する第２の飛入口２７を通して飛入する打球を受け入れるようにしてある。
この第２の飛入口２７には、天釘９ａを通過する打球が飛入することになり、側方に向けて開口する飛入口２４には左側枠部１８の外側に植設する図示しない障害釘の誘導によって飛入することになる。
【００３９】
図中２８は、枠体１５の下縁部、つまり液晶画面１４の下縁に沿って前方に向け突き出すように設けた誘導棚である。
この誘導棚２８は、前記貯留室２２から放出される貯留球を転がし、次の過程に移動する間の変化を創出させるための装置であって、ここでは上面２９を前縁部中央が最も低くなる半皿形の凹曲面形に形成してあり、この上面２９の右方に転入口３０を開設し、棚の内部に形成するトンネル形の案内路３１を通して前記前縁部中央の前面部分に開設する転出口３２に誘導できるようにしてある。これにより、上面２９の左方の端から放出される貯留球をこの上面の凹曲面を転がし誘導する一方、右方の上記転入口３０に達してこれに転入したとき、上記案内路３１を通して転出口３２に誘導できるようにしてある。
【００４０】
上記転出口３２は上面２９の最も低い前縁部中央の直下に開口し、その下方に位置する始動入賞口６に臨んでいる。従って、貯留室２２の出口２０から放出された貯留球は上面２９を転って前向きの傾斜に従って前縁部に移動し、転りの強さによってまちまちにこの前縁部のいずれかの位置から転落し、遊技盤面に戻されることになる。このとき或るものは釘列９ｂに誘導されて始動入賞口６に臨み、また或るものは釘列９ｂから外れてそのまゝ落下することになる。そして、前縁部の中央に達して落下するものは始動入賞口６の直上から落下することからこの入賞口６に対する飛入率が高くなることになる。
【００４１】
一方、右方の前記転入口３０に達した球は、案内路３１を通って転出口３２から直下の始動入賞口６に向けて垂直に落下することから更に飛入率が高まることになる。
この誘導棚上面２９の転りは、貯留室２２からの放出状態の違いによって異なるものとなる。つまり、最下段の（第１の）放出制御装置２１ａが開放するに当って、１個の貯留球が放出される場合は、落下速度が最も遅くなり、従って最短の転りとなるが、個数を増して複数個が同時に放出される場合はそれぞれの球の放出時の高さが異なると同時に、上のものが下のものを押し出すことから落下速度を増して遠くまで転がすことになる。
この結果、転りの違いによって誘導棚２８から離れる位置が変り、最も有利な始動入賞口６の直上に達するものと、そうでないものとに振り分けが行われることになる。
【００４２】
ところで、前記段設した複数個の放出制御装置２１ａ〜２１ｄは、貯留球の放出個数を選択することの外に、ストッパー片２３ａ〜２３ｄの高さが異なることによって、その開放時の貯留球の高さが変わって放出する際の高さの違いから生じる落下速度の変化を創出するため設定したものである。したがって、開放するストッパー片を選択することによって放出球の落下速度を変化させて誘導棚２８の上面２９上の転がりを種々変えられることになる。
【００４３】
図中、３３は前記貯留室２２の前壁に沿って縦長に形成した確認のための覗き窓であり、遊技途中において遊技者が貯留球を確認するときに利用される。
【実施例２】
【００４４】
図６は、本発明の第２の実施例を開示したものである。当該実施例は、前記第１の実施例における誘導棚２８の上面２９の形状を変えて貯留室２２からの放出球の転がりを変えた例を示したものである。尚、本実施例において前記第１の実施例と同一の部所については同一の符号を使用してその説明を省略することにする。
【００４５】
この実施例における誘導棚３４は、前記実施例の誘導棚２８と同様に液晶画面１４の下縁に沿って全幅に亘って前方に突き出すように設けてある。上面３５は図示するように中央部が高い山形形状にして中央の頂上部分に前方に向けて下り勾配となる溝形の案内路３６を形成し、これを挟む左右の斜面３７ａ，３７ｂを共に前下りの勾配を付してこの上面３５に転がり出た球が全て前縁側に転がり移動して落下するようにしてある。
【００４６】
従って、貯留室２２を放出した球は、前述したように放出位置の高さを利用して誘導棚３４の上面３５に達すると、落下速度の相違に基づいて或るものは左方の斜面３７ａに止まり、そのまゝ前縁部から落下し、或るものは案内路３６に入り、この案内路を通してその直下に位置する始動入賞口６へと転落することになる。また或るものはこの案内路３６を越えて右方の斜面３７ｂに乗り移って同様に前下りの勾配に沿ってその前縁部から落下し、遊技盤面に戻されることになる。
【００４７】
勿論、この場合落下する球のその後の結果は、落下位置によって様々に変化し、或るものはそのまゝアウト球口３８に至って機外に排出され、また或るものは釘列９ｂ，９ｃに誘導され、或は直接に始動入賞口６に誘導されることになる。更には開放した大入賞口７に向けて落下し、入賞することになる。
【００４８】
以上、実施例に基づき本発明を説明したが、上述構成から明らかな様に遊技盤１に打ち出され遊技部３に達した打球は、そのまま遊技盤面に沿って落下する他、中央に設置される可変表示装置に接近したとき、この可変表示装置を避けるだけでなく、これに設ける飛入口２４或は２７に飛入するチャンスが得られることになる。そして、ここで飛入した打球は、次に誘導路を通してこの可変表示装置に備える貯留室２２に貯留されることになる。
【００４９】
貯留室２２は放出制御装置、即ち、ソレノイド２１ａ（或は２１ｂ，２１ｃ，２１ｄ）の閉塞にって構成され、飛入した球はそのストッパー片２３ａに止められて貯留されることになる。
本発明において特徴とするところは、この貯留室２２とこれを形成する上記放出制御装置、つまりソレノイド２１ａ（２１ｂ，２１ｃ，２１ｄ）であり、ソレノイドのストッパー片２３ａ（２３ｂ，２３ｃ，２３ｄ）が貯留空間１９内に突入することによって貯留室を形成し、これにより飛入球の貯留を可能とすることにある。そして、このストッパー片を開放することによって貯留球を一度に、或は複数個を個別に、又は一度に放出し、例えば前述のように誘導棚２８に誘導する如く次の工程に移し、更なる変化を演出できることにある。
【００５０】
次に、上記の関係を更に説明すると、貯留室２２に貯留できる限度数は任意に設定されるこことになる。ここで貯留された球は、遊技の進行する中で滞留した状態を作ることになり、その後は前述したように遊技者の操作によって、或は予め設定する球数に達することで一度に、或は複数回に区切って放出することが可能になる。従って、従来、例えば大当り状態の発生時に始動入賞口に飛入した球の残留記録数が設定数を超えたとき、遊技者は打球の発射を止める等して遊技を一時的に中止し、大当り状態の完了を待つことがあったが、本発明ではこの様な中止の状態を、有効球を始動入賞口の直前の貯留室で待機させることができることから有効に回避することができることになる。
【００５１】
そして、本発明においては、貯留球を一度に、或は複数の放出制御装置を設置することによって分割的に放出することができることから、この操作を通して変化を付けることができ、また落下速度の違いによって誘導棚２８、３４上の転がりに変化を与え、始動入賞口６に対する入賞率に変化を与えることができるものとなっている。
ことに、複数のソレノイドを操作して放出球数を違えるようにすると、各球の放出位置の高さが変り、それぞれの落下の勢いが異なることになることから、誘導棚上の転がりが様々に変り遊技者を楽しませることができると共に、始動入賞口６に対する入賞率に差が生じることから興趣を一層高めることが可能になる。
【００５２】
尚、放出制御装置たるソレノイド２１ａ、その他のソレノイド２１ｂ，２１ｃ，２１ｄについては、遊技者の操作によって開閉し、貯留球の放出を行うようにしても、また放出の条件を予め設定してこれを電気的に制御し、貯留球を放出するようにしてもよく、これらは実施する者において任意選択されることになる。
【図面の簡単な説明】
【００５３】
【図１】本発明に係る可変表示装置の使用状態を説明する正面図。
【図２】可変表示装置の概略拡大正面図。
【図３】可変表示装置の概略拡大平面図。
【図４】可変表示装置を斜め前方から見た概略拡大斜面図。
【図５】貯留室と放出制御装置のストッパー片との関係を説明する部分拡大縦断右側面図。
【図６】他の実施例における可変表示装置の概略拡大正面図。
【符号の説明】
【００５４】
１                  遊技盤  
５                  本発明に係る可変表示装置
６                  始動入賞口
９ａ，９ｂ，９ｃ    障害釘取付基板
１４                液晶画面
１５                可変表示装置の枠体
１６                取付基板
１８                側枠部
１８                入賞装置の本体部
１９                貯留空間
２０                出口      
２１ａ，２１ｂ，２１ｃ，２１ｄ      放出制御装置たるソレノイド  
２２                貯留室
２３ａ，２３ｂ，２３ｃ，２３ｄ      ストッパー片  
２５，２６          誘導路
２８，３４          誘導棚
２９，３５          誘導棚の上面  
３１、３６          案内路
３３                窓
【図１】
2006149810.tif 000003
【図２】
2006149810.tif 000004
【図３】
2006149810.tif 000005
【図４】
2006149810.tif 000006
【図５】
2006149810.tif 000007
【図６】
2006149810.tif 000008